(57)【要約】【課題】  燃焼ガスを発生しない調理器具での調理によって発生する汚染空気に含まれる水分（蒸気）をも除去して、汚染空気を完全に清浄化し、レンジフード本体の表面や汚染空気の流路部分での結露の発生を防止する。【解決手段】  燃焼ガスを発生しない調理器具による調理で生じる汚染空気に含まれる水分を除去する除湿手段２３を設け、該除湿手段２３であるペルチェモジュールは通電により得られる吸熱部２３１を前記汚染空気が接触するように配置してその吸熱部２３１を含まれる水分の結露生成部とし、前記送風機１２の作動停止に連動してペルチェモジュールへの通電方向を逆転して所定時間前記吸熱部２３１を放熱部２３２に変換し、前記送風機１２の作動に連動するペルチェモジュールの通電時に得られる放熱部２３２からの熱をレンジフード本体１及び／または汚染空気の流路５に伝達する。【選択図】図１
2005069535.tif 000002
【特許請求の範囲】
【請求項１】
燃焼ガスを発生しない調理器具による調理で生じる汚染空気を送風機で強制的に吸込み、その空気を清浄化したのち、室内に循環するレンジフードにおいて、汚染空気中の油脂分を除去するグリス除去手段の下流側に汚染空気に含まれる臭気を除去する脱臭手段と水分を除去する除湿手段とを設けて、前記グリス除去手段、脱臭手段、除湿手段とで空気清浄化の手段を構成していることを特徴とする室内循環式レンジフード。
【請求項２】
前記除湿手段として、除湿剤を使用し、清浄化される汚染空気をその除湿剤を通過させて室内に循環することを特徴とする請求項１記載の室内循環式レンジフード。
【請求項３】
前記除湿手段は、多孔体からなる上半部に収容される除湿剤と、透湿性シートで隔ててその下半部に設けられる水分の回収容器とを備え、前記上半部と下半部とを係脱可能もしくは一体的にして、清浄化される汚染空気をその上半部を通過するように着脱可能に設けたことを特徴とする請求項１記載の室内循環式レンジフード。
【請求項４】
前記除湿手段としてペルチェモジュールを使用し、該ペルチェモジュールは通電により得られる吸熱部を前記汚染空気が接触するように配置してその吸熱部を含まれる水分の結露生成部とし、該吸熱部に連絡して、その吸熱部で生成される結露を回収する手段を連絡していることを特徴とする請求項１記載の室内循環式レンジフード。
【請求項５】
前記ペルチェモジュールへの通電が送風機の作動に連動することを特徴とする請求項４記載の室内循環式レンジフード。
【請求項６】
前記送風機の作動停止に連動して前記ペルチェモジュールへの通電方向を逆転して所定時間前記吸熱部を放熱部に変換することを特徴とする請求項４または５記載の室内循環式レンジフード。
【請求項７】
前記送風機の作動に連動するペルチェモジュールの通電時に得られる放熱部からの熱をレンジフード本体及び／または汚染空気の流路に熱伝達する手段を備えていることを特徴とする請求項４〜６いずれか１項記載の室内循環式レンジフード。
【請求項８】
前記熱伝達する手段が、前記放熱部からの熱で加熱された空気を吸込んで温風として送風してレンジフード本体及び／または汚染空気の流路に熱伝達する強制送風手段であることを特徴とする請求項７記載の室内循環式レンジフード。
【請求項９】
前記強制送風手段は、前記温風を汚染空気の流路内に送風する空気送り路を有することを特徴とする請求項８記載の室内循環式レンジフード。
【請求項１０】
前記回収する手段が、生成されて流下する結露水を受水する着脱可能な回収容器または同結露水を受水して外部に排出する排出路であることを特徴とする請求項４〜６いずれか１項記載の室内循環式レンジフード。
【発明の詳細な説明】
【技術分野】
【０００１】
本発明は、燃焼ガスを発生しない調理器具（ＣＯ２等）からの汚染空気を清浄化して室内に循環する室内循環式レンジフードに関するものである。
【背景技術】
【０００２】
近年では、一酸化炭素等を含む燃焼ガスを発生させずに調理できるクリーンな調理器具として、電磁調理器具が普及し、オール電化厨房を採用する家庭が多くなっている。
電磁調理器具を使用しての調理では、発生する汚染空気のうち、一酸化炭素等を含む有害な燃焼ガスを含まないので、汚染空気を吸引し清浄化できれば室内に再び循環することができる。
従来、室内循環式レンジフードには、フード部内部にグリス除去手段と、フード部の天板上に送風機の吐出口に連通する脱臭ユニットとを設けて、その汚染空気に含まれる油煙や調理臭をろ過する構成のものが知られている（例えば、特許文献１参照）。
【０００３】
しかしながら、前記する先行技術は調理により発生する汚染空気に含まれる主成分のうち、水分（蒸気）については回収することができない。
そのため、近年の高気密住宅において汚染空気中に含まれる水分（蒸気）をも除去しなければ、室の窓、壁が結露し易く、クロスの剥がれやカビの発生が問題となる。
また、特に電磁調理器具を使用するとガス燃焼器具での調理に比べて、高温の燃焼ガスが発生しないため、特に湯気を多く発生させる調理時には汚染空気の流路部分に結露が生じ、滴下して、調理器具周辺を汚したり、調理中の食材を使用不能にする。
【特許文献１】特開平１０−１９７０２３号公報
【発明の開示】
【発明が解決しようとする課題】
【０００４】
本発明が上記従来事情に鑑みてなされたものでは、その目的とする処は燃焼ガスを発生しない調理器具での調理によって発生する汚染空気に含まれる水分（蒸気）をも除去して、汚染空気を完全に清浄化する室内循環式レンジフードを提供することにある。
他の目的とする処は、除湿手段から発生する熱を有効利用して、レンジフード本体の表面や汚染空気の流路部分での結露の発生を防止する室内循環式レンジフードを提供することにある。
更に他の目的とする処は、除湿手段で除去された水分の回収及びその廃棄が簡単な室内循環式レンジフードを提供することにある。
【課題を解決するための手段】
【０００５】
前記課題を解決するために講じた技術的手段は、燃焼ガスを発生しない調理器具による調理で生じる汚染空気を送風機で強制的に吸込み、その空気を清浄化したのち、室内に循環するレンジフードにおいて、汚染空気中の油脂分を除去するグリス除去手段の下流側に汚染空気に含まれる臭気を除去する脱臭手段と水分を除去する除湿手段とを設けて、前記グリス除去手段、脱臭手段、除湿手段とで空気清浄化の手段を構成していることを特徴とする室内循環式レンジフードである（請求項１）。
そして、その除湿手段として、除湿剤を使用し、清浄化される汚染空気をその除湿剤を通過させて室内に循環させる（請求項２）、そして、その除湿手段は、多孔体からなる上半部に収容される除湿剤と、透湿性シートで隔ててその下半部に設けられる水分の回収容器とを備え、前記上半部と下半部とを係脱可能もしくは一体的にして、清浄化される汚染空気をその上半部を通過するように着脱可能に設けた構成にすると好適である（請求項３）。
その除湿剤としては、今日使用されている塩化カルシウム、シリカゲル、生石灰等、安全で除湿性能に優れたものであれば何を使用しても良い。
【０００６】
前記手段によれば、清浄化する汚染空気に含まれる油脂分、調理臭はもとより、その汚染空気に含まれる水分（蒸気、湿気）を除去して清浄空気として室内に循環する（請求項１、２）。
そして、容器に除湿された結露水や除湿剤の水溶液が溜まった時等、必要な時に取外して、廃棄にあたったり、劣化した除湿剤の交換を行なう（請求項３）。
また、透湿性シートは所謂容器の蓋的機能をも有し再蒸発の虞れを無くす（請求項３）。
【０００７】
そして、除湿手段としてペルチェモジュールを使用し、該ペルチェモジュールは通電により得られる吸熱部を前記汚染空気が接触するように配置してその吸熱部を含まれる水分の結露生成部とし、該吸熱部に連絡して、その吸熱部で生成される結露を回収する手段を連絡していると好適なものである（請求項４）。
ペルチェモジュールは、ＰＮ・Ｎ形半導体の接合対であるペルチェ素子を電気的に直列に接続してユニット化したもので、直流電流（ＤＣ）を流すことで一面が吸熱部に、他面が放熱部となり、電流の向きを変えることによって、その吸熱部が放熱部に、放熱部が吸熱部に変換するものである。
このペルチェモジュールは、応答性が速い。可動部分が無く、無振動で高寿命等の特徴を有している。
ペルチェモジュールへの通電が送風機の作動に連動するようにすると、人為的なスイッチ操作は必要とせず、操作性が良いものとなる（請求項５）。
また、回収する手段が生成されて流下する結露水を受水する着脱可能な回収容器または同結露水を受水して外部に排出する排出路であると好適である（請求項１０）。
【０００８】
前記手段によれば、清浄化される汚染空気中の水分を吸熱部で結露させて除湿する。
そして、吸熱部に生成される結露水を滴下させることなく着脱可能な回収容器で回収したり、排出路で外部に排出する。
【０００９】
また、送風機を作動停止しても吸熱部が濡れた状態にあると、この濡れた面に空気中に浮遊しているカビの胞子等が付着してカビを増殖させ、送風機を再作動すると、このカビに接触する空気が室内に循環して室内を汚染し健康上や衛生上の問題を惹起してしまう。これを防ぐために送風機の作動停止に連動して前記ペルチェモジュールへの通電方向を逆転して所定時間前記吸熱部を放熱部に変換する構成を採用している（請求項６）。
尚、連動タイプではなく、通電や停止用のスイッチのタッチ操作等の人為的操作で通電を逆転させたり、通電をストップすることも自由なものである。
【００１０】
前記手段によれば、人為的にスイッチ操作等で通電を逆転することなく、送風機の作動停止に連続して吸熱部を放熱部に変換して濡れている吸熱部を加熱乾燥し、吸熱部でカビの発生を阻止する。
【００１１】
そして、送風機の作動に連動するペルチェモジュールの通電時に得られる放熱部からの熱をレンジフード本体及び／または汚染空気の流路に熱伝達する手段を備え、該熱伝達する手段が、前記放熱部からの熱で加熱された空気を吸込んで温風として送風してレンジフード本体及び／または汚染空気の流路に熱伝達する強制送風手段であると望ましいものである（請求項７、８）。
そして、強制送風手段は、前記温風を汚染空気の流路内に送風する空気送り路を有すると、より好ましいものである（請求項９）。
【００１２】
前記手段によれば、ペルチェモジュールの放熱部からの熱を利用して運転中のレンジフードの本体の表面や汚染空気の流路を加熱して、結露の発生を防止する。
【発明の効果】
【００１３】
（請求項１〜９）本発明は以上のように室内循環式レンジフードで問題となる湿気を室内に循環しないように、積極的に除湿するための除湿手段を設け、グリス除去手段及び脱臭手段で清浄化された清浄空気に含まれる水分を除去できるので、窓や壁が結露したり、クロスの剥がれカビの発生を防止することができる。
【００１４】
（請求項２）しかも、その除湿手段が除湿剤の場合には、汚染空気の流路に配設することでその目的が達成され、簡単に清浄空気が除湿できる。
【００１５】
（請求項３）その上、その除湿手段として、上半部に除湿剤、下半部に容器、中間部に透湿性シートを配設したユニット構成にした場合には、取外して、容器内の回収した結露水の廃棄したり、劣化した除湿剤の交換が容易に行なえるし、その透湿性シートが容器に溜まった結露水の再蒸発も未然に防止できる。
【００１６】
（請求項４、９）また、ペルチェモジュールの吸熱部を結露生成部にして除湿手段を構成して、その結露生成部で生成されて滴下する結露水を回収するようにしているので、除湿剤のように定期的に交換せずに汚染空気から水分を恒久的に除去できる。
【００１７】
（請求項５）そして、そのペルチェモジュールの通電が送風機の作動に連動するようにしてあるので、人為的な格別の操作を全く必要としない。
【００１８】
（請求項６）その上、送風機の作動停止に連動してペルチェモジュールへの通電方向を逆転して所定時間吸熱部を放熱部に変換するようにしていると、濡れたままになっている吸熱部を加熱乾燥してその吸熱部でのカビの発生を防止し、ひいてはカビ部を通過して清浄空気が室内に循環される衛生上の問題を解消する。
その吸熱部の加熱乾燥を、除湿手段を有効利用して行なうので、専用の加熱装置を付設する必要がなく、装置コストを大幅に低減化できる。
【００１９】
（請求項７、８）また、ペルチェモジュールの通電時に逆側に得られる放熱部の熱を有効利用して、レンジフード本体の表面や汚染空気の流路にその熱を熱伝達手段として強制送風するので、レンジフード本体の表面や汚染空気の流路の路面での結露と共にカビの発生を防止できる。
ことに、その強制的に温風を汚染空気の流路内に送風するようにすると、特に結露し易い汚染空気の流路の路面での結露発生防止に効果的である。
【００２０】
しかも、除湿剤、ペルチェモジュールは共に、脱臭手段で回収し難い水蒸気に含まれる微細な臭い成分をも回収するので、脱臭性能の向上に貢献できる。
【発明を実施するための最良の形態】
【００２１】
以下、本発明の室内循環式レンジフードの実施の形態例を図１〜図３に基づいて説明すると、図１はその第１の実施の形態、図２は同第２の実施の形態を、更には図３は同第３の実施の形態を各々示している。
【実施例１】
【００２２】
符号Ａはこの実施の形態の室内循環式レンジフードである。
この室内循環式のレンジフードＡは、図１に示すように、下面を開放した扁平薄箱状のフード部１１の天板１１１上面から縦型ケース部２１を立設して構成されたレンジフード本体１内に送風機ユニット２と共に空気清浄化の手段３を収容して形成されている。
【００２３】
縦型ケース部２１は、フード部１１の天板１１１から立設した前面を開放した矩形箱体であり、その下半部にフード部天板１１１上面上に設置した送風機ユニット２を収容し、上半部に脱臭手段１３及び除湿手段２３と送風機ユニット２から脱臭手段１３、除湿手段２３を経て室内に連通する空気路４とを収容している。
【００２４】
フード部１１は、その開放部から天板方向に凹設した凹窪部１１２の底に開口１１２ａを設けると共に、その開口１１２ａにグリス除去手段（グリスフィルター）３３を係脱可能に備え、その下方に開放部との間に所定の間隙Ｓを確保して整流板４３を配設し、その間隙Ｓから両側を速めて、燃焼ガスを生じない調理器具（電磁調理器具、電気調理器具）で調理すると発生する汚染空気を吸込むようにしてある。
【００２５】
脱臭手段１３の一例としては、顆粒状に造粒された無機系イオン吸着剤の下側に消臭剤添着ウレタンフォームを配置し、その消臭剤添着ウレタンフォームの下側と無機系イオン吸着剤の上側に抗菌剤を練り込んだ例えばポリプロピレンからなる不織布を配置してサンドイッチした状態で樹脂製や金属製の上下一対の上箱、下箱からなるカートリッジに収容され、該カートリッジは、芯金に網体を編組したものを挙げることができる（特開平１０−１９７０２３号公報参照）。
前記無機系イオン吸着剤の造粒は、無定形酸化亜鉛を極めて微細な状態で複分解して混合した後、造粒した周知のものである。
また、無機系イオン吸着剤の造粒は表面が弱いイオン化した状態を採っており、亜鉛はプラスイオンに、シラノール基はマイナスイオンにイオン化してイオン化した物質を吸着する性質を有し、プラスイオンとマイナスイオンとの両方とを備えていることから酸とアルカリの両方の極性ガスを吸着することができる。
更に、この無機系イオン吸着剤は一度吸着したものは温度の変化や加熱に対して再放出がなく、耐水、耐洗濯性は勿論のこと、耐熱性を有し、イオン吸着型故にガスの吸着が素早く、また水で洗うと脱臭性能を回復する特性をも備えたものであり、四大悪臭と言われるアンモニア、トリメチルアミン（魚の臭い）、硫化水素（腐敗臭）、メチルメルカプタンは勿論、吉草酸、フェノール、ＮＯx 等を効果的に脱臭する。
【００２６】
前記空気路４は、送風機ユニット２の上面に一端側を開放し他端側を室内で開放した側面視逆Ｌ形状を呈してなり、その直線部１４に前記脱臭手段１３を多段状に配置し、水平部２４に除湿手段２３を配置してなり、この空気路４と、送風機ユニット２、フード部１１とで汚染空気の流路５を構成している。
前記送風機１２はシロッコファンである。
【００２７】
前記除湿手段２３は、ペルチェモジュールであり、直流電流を流すことによって得られる吸熱部２３１のみを前記空気路４の水平部２４に配置させてある。
また、この実施の形態では、その吸熱部１３１を多数のフィン２３１ａを並設した凹凸形状にして、清浄化させる空気との接触面積を拡大させてある。
この除湿手段２３、脱臭手段１３、グリス除去手段３３とで空気清浄化の手段３を構成している。
【００２８】
このペルチェモジュールへの通電は送風機１２の作動に連動し、更に送風機１２の作動停止に連動して通電方向を逆転して所定時間吸熱部２３１を放熱部２３２に変換するように制御されている。
【００２９】
また、ペルチェモジュールが面する水平部２４の底面には、漏斗状の水受け部２４１を凹設し、その下方には水受け部２４１底部に開口した排水口６に連通する着脱可能な回収容器７を設置し、前記縦型ケース部２１の前面を開閉するカバー３１を外して、その回収容器７を取外すことができるようになっている。
【００３０】
前記回収容器７には、オーバーフローしない適正水位を検出する水位センサ等の水位検出手段（図示せず）を設け、その水位検出手段（図示せず）が検出した時に報知するブザー、ランプ等の報知手段Ｂをフード部１１の前面に設けている。
【００３１】
以上のように構成されている室内循環式レンジフードＡは、送風機１２の作動に連動して除湿手段２３であるペルチェモジュールに直流電流が流れて吸熱部２３１で吸熱する。
燃焼ガスを生じない調理器具（電磁調理器具、電気調理器具）での調理により発生した汚染空気は、グリス除去手段３３で含有される油脂分が除去されると共に、脱臭手段１３で含有される調理臭が脱臭されて清浄化され、その清浄化されたその汚染空気は吸熱部２３１に接触して含まれる水分（蒸気、湿気）がその吸熱で結露される。
そして、滴下する結露水は回収容器７で受水されて、毀れない程度の水位になると報知手段Ｂで使用者に報知されて、廃棄が促がされる。
また、調理器具での調理終了や中止に連動して送風機１２作動が停止すると自ずと所定時間だけ吸熱部２３１を放熱部２３２に変換して濡れているその吸熱部２３１を加熱乾燥してカビが発生しないようにする。
【実施例２】
【００３２】
次に図２に示す第２の実施の形態について説明すると、この実施の形態は前記ペルチェモジュールの通電時に得られる放熱部２３２からの熱をレンジフード本体１、汚染空気の流路５に熱伝達するものである。
【００３３】
この熱伝達する手段を除いて、前記する実施の形態と同様構成であるため、同一符号を付して具体的な説明は省略する。
【００３４】
前記する伝達する手段は、空気送り路１８と、補助送風機２８とからなる強制送風手段８である。
【００３５】
前記空気送り路１８は、外部に臨むペルチェモジュールの放熱部２３２を、補助送風機２８を有する覆い３８でカバーし、その覆い３８のスペースに臨む縦型ケース部２１の上面に任意箇所に通孔２８１を開孔すると共に、送風機ユニット２におけるユニットケース２２の背後に確保した背後室１０上面に通孔１０１を開孔し、更にフード部１１の後端幅方向略全長に亘って設けられている照明ケース５１の上面に通孔５１１を開孔して、各々の通孔２８１、１０１、５１１を連通させると共に、照明ケース５１の整流板４３が臨む前立面５１２、フード部１１の整流板４３が臨む前立面１１３に整流板４３側に温風を噴出する排気孔５１３、１１４を各々開孔することによって、縦型ケース部２１内、更には前記フード部１１と凹窪部１１２との間を強制送風した後、その温風を排気孔５１３、１１４から整流板４３の表面方向に噴出して汚染空気の流路５内に温風を供給するようになっている。
【００３６】
以上のように構成されている室内循環式レンジフードＡは、送風機１２の作動時にペルチェモジュールの放熱部２３２から放熱され続ける熱で加熱された空気を温風として補助送風機２８で送風してレンジフード本体１、汚染空気の流路５に熱伝達させて、調理時に立ち昇る湯気でレンジフード本体１、汚染空気の流路５内で結露しないようにする。
そして、汚染空気の流路５は直接汚染空気が接触するため、結露が生じ易いものであるが、その汚染空気の流路５は、内外からペルチェモジュールの放熱部２３２の熱で加熱された空気を吸込んだ温風で加熱されることになり、結露の発生はより確実に防止する。
【実施例３】
【００３７】
更に図３に示す第２の実施の形態について説明すると、この実施の形態は除湿手段２３に、除湿剤を使用した例である。他の構成については前記する第１の実施の形態と同様であるため、同一符号を付して具体的な説明は省略する。
【００３８】
この除湿手段２３は、支持膜となる透湿性シート２３５で下側開放部を閉口したキャップ２３４内に塩化カルシウム２３３の錠剤を収容し、そのキャップ２３４で回収容器２３６を開閉可能にしてユニット化し、前記空気路壁や送風機ユニット２のユニットケース２２等にスイング式に設けた支持アーム９に載承して、前記キャップ２３４を前記空気路４の水平部２４に配置している。
キャップ２３４には多数の通気孔が開孔されている。
【００３９】
このように構成されている室内循環式レンジフードＡでは、塩化カルシウムで清浄化された汚染空気中の水分が吸着除去される。
そして、除湿されて滴下する結露水や塩化カルシウムの水溶液は、回収容器２３６に滴下して回収され、オーバーフローしない程度の適度な貯水量になると、前記報知手段Ｂでの報知に基づいて、取外して結露水の廃棄にあたることができる。
【００４０】
尚、本発明で、前記除湿手段２３は、脱臭手段１３の下流側に配置するのが望ましいが、グリス除去手段３３と、脱臭手段１３との間に配置しても良いものである。
【図面の簡単な説明】
【００４１】
【図１】第１の実施の形態の側面断面図。
【図２】第２の実施の形態の側面図で一部切欠して示す。
【図３】第３の実施の形態の側面断面図。
【符号の説明】
【００４２】
１：レンジフード本体        １２：送風機
１３：脱臭手段                ３３：グリス除去手段
２３：除湿手段                  ３：空気清浄化の手段
２３４：キャップ          ２３６、７：回収容器
２３１：吸熱部                ２３２：放熱部
８：強制送風手段              ５：汚染空気の流路
１２：送風機                  １８：空気送り路
【図１】
2005069535.tif 000003
【図２】
2005069535.tif 000004
【図３】
2005069535.tif 000005